(57)【要約】      （修正有）【課題】トラックのキャブ後部にベッドスペースを設けることができない場合であっても、容易に設置できる車両用簡易ベッドを提供する。【解決手段】キャブ後壁１７に立て掛けた平板状のクッション本体を、前方に倒してベッドとして利用する車輌用簡易ベッドであって、平板状のクッション本体が、運転席と助手席の間に存する第１クッション部１０２と、助手席の後方に存する第２クッション部１０３とに別れ、前記第１クッション部１０２が、第２クッション部１０３と独立して前倒しされる。次いで、助手席のシートバック１２ｂを前倒して水平状態にし、クッション本体の第２クッション部１０３を前倒して、シートバック１２ｂの上に重ねる。【選択図】図２
0003210963.tif 000002
【実用新案登録請求の範囲】
【請求項１】
キャブの後壁に立て掛けた平板状のクッション本体を、前方に倒してベッドとして利用する車輌用簡易ベッドであって、
前記平板状のクッション本体が、運転席と助手席の間に存する第１の部分と、助手席の後方に存する第２の部分とに別れ、前記第１の部分が、第２の部分と独立して前倒可能に構成されている
ことを特徴とする車輌用簡易ベッド。
【請求項２】
助手席のシートバックは、前倒してその背面部を水平状態にすることが可能であって、前記クッション本体の第２の部分が、前倒により前記水平状態となった助手席のシートバック上に重ねられ、前記第１の部分と実質的に一面になるように構成されている
ことを特徴とする請求項１に記載の車輌用簡易ベッド。
【請求項３】
運転席後部から助手席後部に亘って延びるように配されたベッド基台部を備え、
前記クッション本体の第１と第２の部分が、それぞれの基端部において可撓性ヒンジを介して前記ベッド基台部に対し前倒可能に保持されている
ことを特徴とする請求項１または２に記載の車輌用簡易ベッド。
【請求項４】
前倒状態にある前記第１の部分は、センターコンソール上に重なっており、当該第１の部分の下面とセンターコンソールとの隙間部分に介挿されるスペーサー部材をさらに備える
ことを特徴とする請求項１から３までのいずれかに記載の車輌用簡易ベッド。
【請求項５】
前記運転席の座面上に載置される第１補助クッションをさらに備える
ことを特徴とする請求項１から４までのいずれかに記載の車輌用簡易ベッド。
【請求項６】
前記第１補助クッションと前記前倒状態のクッション本体の第１の部分との隙間を、シフトレバーのある部位を除いて埋める第２補助クッションをさらに備える
ことを特徴とする請求項５に記載の車輌用簡易ベッド。
【請求項７】
ベッドが設置された状態で、前記クッション本体と前記第１と第２の補助クッションの上面が実質的に同一の高さとなるように、第１と第２の補助クッションのそれぞれの厚みおよび／または形状が決定されている
ことを特徴とする請求項６に記載の車輌用簡易ベッド。
【考案の詳細な説明】
【技術分野】
【０００１】
本考案は、トラックなどのキャブに設けられる車輛用簡易ベッドに関し、特に設置が容易な車輛用簡易ベッドに関する。
【背景技術】
【０００２】
長距離を走行する大型トラック等の車輛においては、運転者の疲れが仮眠することによってかなり軽減されることから、長距離を安全に運転するために、図７（ａ）に示すようにキャブ内の運転席２０１とキャブ後壁２０４との間にベッドスペース２０３が設けられているものが多い。
この場合、運転席の後部のスペースが広いため、バックシート２０１ｂも十分後ろに倒すことができ（フルリクライニング）、この状態で軽く体を休めることも可能である。
【０００３】
ところで、最近では、運送効率を向上させるため、荷台スペースをできるだけ大きくすることが望まれている。法規上、大型トラックの全長は、１２ｍ以内となるように定められており、荷台スペースを大きくするためには、運転席２０１後部のベッドスペース２０３を排してキャブのスペースを小さくする必要がある（図７（ｂ）参照）。
これでは運転者は快適な仮眠を得ることができず、運転者の疲れを十分に軽減させることができない。このような問題は、もともとキャブの狭い中型及び小型のトラックについても同様に生じる。
【０００４】
このようにトラックの座席後部に本格的なベッドスペース２０３を設けることが困難な事情に鑑みて、それに代替する車輌用簡易ベッドを設けることの要請が強かった。
そこで、図８（ａ）、（ｂ）に示すような、車輌用簡易ベッドが考案されている。
図８（ａ）に示すように、この車輌用簡易ベッドは、不使用時においては、２枚の板状のクッション部材２０７、２０８を助手席２０２とキャブ後壁２０４との隙間に収納しておく。使用時には、運転者が、運転席２０１から降りて、位置Ｐ１（図８（ｂ））からトラック前方の位置Ｐ２を経由して、助手席２０２側のドアの位置Ｐ３まで移動し、ドアを開けて、助手席２０２のリクライニング用のシートレバー２０２ｃを操作して、シートバック２０２ｂをシートクッション２０２ａ方向に前倒させて、その背面が水平になるようにし、その後、２枚のクッション部材２０７、２０８を取り出して横に並べ、車輌用簡易ベッドとして設置する。
【先行技術文献】
【特許文献】
【０００５】
【特許文献１】特開平１１−５６５３２号公報
【特許文献２】特開平１１−７５９９７号公報
【特許文献３】特開２０００−４３６３７号公報
【考案の概要】
【考案が解決しようとする課題】
【０００６】
しかし、上記の車輌用簡易ベッドの構成によれば、運転者がわざわざドアを開けて、運転席から降りて、トラック前方から回り込み、助手席側のドアを開けて、助手席のバックシートを倒す作業をしなければならないので、簡易ベッドを設置するために少なからず手間がかかった。
特に、運転者が、本格的な仮眠ではなく、単に運転席に座りながら、上半身を側方に横たえて小休止するためだけの場合でも、上記のような手間がいるので、大変不便である。
【０００７】
本考案は，上記の不都合を解消するためになされたものであって、狭いキャブ内であっても、設置が容易な車輌用簡易ベッドを提供することを目的とする。
【課題を解決するための手段】
【０００８】
上記目的は、キャブの後壁に立て掛けた平板状のクッション本体を、前方に倒してベッドとして利用する車輌用簡易ベッドであって、前記平板状のクッション本体が、運転席と助手席の間に存する第１の部分と、助手席の後方に存する第２の部分とに別れ、前記第１の部分が、第２の部分と独立して前倒可能に構成されていることを特徴とする。
ここで、助手席のシートバックは、前倒してその背面部を水平状態にすることが可能であって、前記クッション本体の第２の部分が、前倒により前記水平状態となった助手席のシートバック上に重ねられ、前記第１の部分と実質的に一面になるように構成されている
ことが望ましい。
【０００９】
また、運転席後部から助手席後部に亘って延びるように配されたベッド基台部を備え、前記クッション本体の第１と第２の部分が、それぞれの基端部において可撓性ヒンジを介して前記ベッド基台部に対し前倒可能に保持されていることが望ましい。
また、前倒状態にある前記第１の部分は、センターコンソール上に重なっており、当該第１の部分の下面とセンターコンソールとの隙間部分に介挿されるスペーサー部材をさらに備えることとしてもよい。
【００１０】
また、前記運転席の座面上に載置される第１補助クッションをさらに備えることとしてもよい。
前記第１補助クッションと前記前倒状態のクッション本体の第１の部分との隙間を、シフトレバーのある部位を除いて埋める第２補助クッションをさらに備えることとしてもよい。
【００１１】
また、ベッドが設置された状態で、前記クッション本体と前記第１と第２の補助クッションの上面が実質的に同一の高さとなるように、第１と第２の補助クッションのそれぞれの厚みおよび／または形状が決定されていることが望ましい。
【考案の効果】
【００１２】
本考案によれば、不使用時にはクッション本体をキャブの後壁に立て掛けているので、キャブが狭くても邪魔にならない。軽く休憩する場合には、クッション本体の第１の部分のみを前に倒すだけの簡易な操作で、運転座席に座ったまま上半身を横に倒して小休止することができる。
さらに本格的に仮眠する場合には、例えば、すでに前倒させた前記第１の部分の上を這うようにして進んで、助手席のシートレバーを操作してシートバックを前倒させて水平にし、クッション本体の第２の部分を前倒させるようにすれば、従来の簡易ベッドのようにわざわざキャブからおりて外に出て助手席側のドアを開いてから、助手席のシートバックを前倒させるような手間がなくなるので、簡易ベッドの設置が大変容易になる。
【図面の簡単な説明】
【００１３】
【図１】（ａ）は、簡易ベッドのクッション本体の第１クッション部と第２クッション部がキャブの後壁側に立て掛けるようにして収納されている様子を示す図であり、（ｂ）は、クッション本体の運転席と助手席の間にある第１クッション部のみを前に倒したときの様子を示す図である。
【図２】（ａ）は、助手席のシートバックを前倒して水平にした状態を示す図であり、（ｂ）は、当該水平状態のシートバックの上に、クッション本体の第２クッション部を前倒して、重ねた状態を示す図である。
【図３】（ａ）、（ｂ）は、共に簡易ベッドの基台部およびクッション本体の第１と第２のクッション部のみを示す図であって、（ａ）は、クッション本体の第１、第２のクッション部が後方に倒れている状態を示し、（ｂ）は、クッション本体の第１クッション部のみを前倒させた状態を示す図である。
【図４】簡易ベッドの基台部、クッション本体の第１と第２のクッション部のそれぞれの寸法例を示す図である。
【図５】（ａ）、（ｂ）、（ｃ）は、それぞれ第１の補助クッション、第２の補助クッション、スペーサー部材の形状および寸法例を示す図である。
【図６】運転者が、セット後の簡易ベッドに横たわっている様子を示す図である。
【図７】（ａ）は、運転席後方にベッドスペースが設けられているキャブの様子を示す側面図であり、（ｂ）は、ベッドスペースがないショートキャブの様子を示す側面図である。
【図８】（ａ）、（ｂ）は、本考案の背景技術となる車輌用簡易ベッドをセットする様子を示す図である。
【考案を実施するための形態】
【００１４】
以下、本考案の実施の形態を図面に基づき説明する。
図１（ａ）は、通常の運転時において、車輌用簡易ベッド（以下、単に「簡易ベッド」という。）が、まだ設置されていないキャブ内の様子を示す斜視図である。
運転ハンドル１３に対向して、運転席１１が配置される。運転席１１は、座面部のシートクッション１１ａと背もたれ部のシートバック１１ｂとからなる。
【００１５】
中央のセンターコンソール１４を挟んで運転席１１と反対側には、シートクッション１２ａとシートバック１２ｂからなる助手席１２が配置される。
センターコンソール１４の一段低い位置にトレイ１５が配されると共に、トレイ１５と運転席１１との間には、上方に突出したシフトレバー１６が配される。
簡易ベッドのクッション本体１０１は、センターコンソール１４に対応する範囲（運転席１１と助手席１２との間）にある第１クッション部１０２と、助手席１２に対応する範囲にある第２クッション部１０３に分離されており、それぞれの下端部（基端部）が、簡易ベッドの基台部１０４に折り曲げ可能に支持されており、上端がキャブの後壁１７に立て掛けられた状態となって収納されている。
【００１６】
第１、第２クッション部１０２、１０３はそれぞれ、発泡部材（例えば、発泡ウレタン樹脂）からなる平板状のクッション部材を袋状の布もしくは樹脂シートでカバーしてなる。
第１クッション部１０２は、走行時の振動やブレーキなどをかけた場合に勝手に前方に倒れないようにキャブ後壁１７に取着された固定用ベルト１１１と第１クッション部１０２に取着された固定用ベルト１１３が、連結具１１２を介して接続されている。
【００１７】
本実施の形態では、かかる連結具１１２として、スナップ留め機構を利用した公知のサイドリリースタイプのバックルを使用しているが、ある程度の接続強度が維持され、接続・取り外しの操作が容易なものであればどのようなものであっても構わない。
運転者が、運転席１１のシートクッション１１ａに腰掛けたまま、上体を横に寝かせて軽く休憩する場合には、図１（ｂ）に示すように、連結具１１２を外して、第１クッション部１０２のみを前倒させ、センターコンソール１４上に重ねるようにすればよい。
【００１８】
本実施の形態では、センターコンソール１４のうちトレイ１５が一段低くなっているので、スペーサー部材１０５を第１クッション部１０２とトレイ１５との間に介挿するようにしている。
このスペーサー部材１０５は、特にクッション性は要求されないが、本実施の形態では、主に軽量さの観点からスペーサー部材１０５も発泡部材で形成し、布又は樹脂シートでカバーして形成しており、不使用時には、例えば、運転席１１のシートバック１１ｂとキャブの後壁１７との隙間、もしくは助手席１２のシートバック１２ｂと第２クッション部１０３との隙間などにしっかりと挟まれて収納されるようにしている。
【００１９】
さらに完全に体を横たえて、仮眠する場合には、運転者は第１クッション部１０２の上に載って、助手席１２のシートレバー１２ｃに手を掛けて操作し、シートバック１２ｂを前方に倒してその背面が水平になるようにする（図２（ａ））。
そして、第２クッション部１０３を、水平状態のシートバック１２ｂの上に重ねるようにして前に倒し、図２（ｂ）に示すように第１クッション部１０２と第２クッション部１０３を縦に並べた状態にする。
【００２０】
なお、本実施の形態では、センターコンソール１４の高さと、水平状態のシートバック１２ｂの背面の高さがほぼ同じとなっており、第１クッション部１０２と第２クッション部１０３の厚みを同じにして（図３（ｂ）参照）、前倒されて水平状態となった第１クッション部１０２、第２クッション部１０３の上面が実質的に同一高さ（面一）になるようにしている。
【００２１】
以上のように本実施の形態によれば、運転者が、簡易ベッドのセットのため、わざわざドアを開けて外に出て反対側の助手席１２側に回って助手席１２のシートバック１２ｂを倒す必要がないので、操作性が大変向上する。
図３（ａ）、（ｂ）は、簡易ベッドの基台部１０４およびクッション本体１０１の第１クッション部１０２と第２クッション部１０３のみを示す図である。
【００２２】
図３（ａ）は、簡易ベッドが不使用なとき、クッション本体１０１の第１クッション部１０２、第２クッション部１０３が、後方（キャブ後壁１７方向）に倒されている状態を示し、（ｂ）は、第１クッション部１０２のみを前倒させた状態を示す図である。
簡易ベッドの基台部１０４も、やはり、発泡部材を適当な保護シートでカバーしてなり、その後方側が、キャブ後壁１７の下部段部（図７（ｂ）の２０５参照）に載置される。基台部１０４の前方側に設けられた支持板１０４ｃは、基台部１０４の段部２０５で支えきれない前方の部分（図７（ｂ）のスペース２０６に相当する部分）を支持するためのものである。
【００２３】
基台部１０４の前端部と、第１クッション部１０２、第２クッション部１０３の下端部は、それぞれ可撓性ヒンジ１０４ａ、１０４ｂを介して接続されており、第１クッション部１０２、第２クッション部１０３が基台部１０４に対して回動できるようになっている。
この可撓性ヒンジ１０４ａ、１０４ｂは、本実施の形態では、基台部１０４と第１クッション部１０２または第２クッション部１０３のカバー部材が繋がって形成される簡易な構成が用いられている。もっとも、カバー部材とは別の可撓性の素材によって、基台部１０４の前端部と、第１クッション部１０２および第２クッション部１０３の下端部を連結するようにしても構わない。
【００２４】
ここで、図２（ｂ）に戻り、運転者は、第２クッション部１０３をシートバック１２ｂ上に前倒させた後、運転席１１のシートバック１１ｂとキャブの後壁１７との隙間から第１補助クッション１０６と第２補助クッション１０７を取り出し、第１補助クッション１０６を運転席１１のシートクッション１１ａ上に載置し、第２補助クッション１０７をシフトレバー１６を避けて、第１クッション部１０２と第１補助クッション１０６との隙間を埋めるように押し込める。
【００２５】
これによって、簡易ベッドの設定が完了する。なお、第１補助クッション１０６、第２補助クッション１０７も第１クッション部１０２などと同様な発泡部材に布または樹脂シートのカバーを付してなる。
図３（ｂ）、図４、図５に本実施の形態における簡易ベッドの各部品の寸法を示す。単位は、ｍｍである。
【００２６】
図３（ｂ）では、第１クッション部１０２、第２クッション部１０３および基台部１０４の厚みおよび支持板１０４ｃの幅の寸法を示す。
図４は、第１クッション部１０２、第２クッション部１０３および基台部１０４の平面視における各寸法を示す。
なお、図４において、基台部１０４の運転席１１に対応する部分の幅が２００ｍｍと細くなっているのは、運転席１１の前後へのスライド移動の範囲を十分確保するためである。
【００２７】
図５（ａ）は、第１補助クッション１０６の形状と各部の寸法を示し、図５（ｂ）は第２補助クッション１０７の形状と寸法を示す。図５（ｃ）は、スペーサー部材１０５の形状と寸法を示す。
図６は、本実施の形態にかかる簡易ベッドが完成したときの様子を示す正面図である。上記のような形状と寸法にすることにより、各部品の上面がほぼ同一平面内になり、運転者３０は快適な仮眠を得ることができる。
【００２８】
運転者３０は、頭を第２クッション部１０３に載せ、腰を第１クッション部１０２に載せ、また脚を第１補助クッション１０６、第２補助クッション１０７上に載せて仮眠する。
もちろん、キャブのセンターコンソール１４の上面の形状や高さ、運転者席、助手席の座面の形状や高さ、シートバックを前倒して水平にしたときの高さなどは、トラックのメーカーや機種ごとに応じて異なるので、それらに応じて、簡易ベッドの各部品の寸法を適宜決定し、完成時のベッド上面がほぼフラットになるようにすればよい。
【産業上の利用可能性】
【００２９】
本考案は、狭いキャブにも搭載することができ、組立が容易な車輌用簡易ベッドとして好適である。
【符号の説明】
【００３０】
１１    運転席
１１ａ、１２ａ  シートクッション
１１ｂ、１２ｂ  シートバック
１２    助手席
１２ｃ  シートレバー
１３    運転ハンドル
１４    センターコンソール
１５    トレイ
１６    シフトレバー
１７    キャブ後壁
３０    運転者
１０１    クッション本体
１０２    第１クッション部
１０３    第２クッション部
１０４    基台部
１０４ａ、１０４ｂ  可撓性ヒンジ
１０４ｃ  支持板
１０５    スペーサー部材
１０６    第１補助クッション
１０７    第２補助クッション
１１１、１１３  固定用ベルト
１１２    連結具
【図１】
0003210963.tif 000003
【図２】
0003210963.tif 000004
【図３】
0003210963.tif 000005
【図４】
0003210963.tif 000006
【図５】
0003210963.tif 000007
【図６】
0003210963.tif 000008
【図７】
0003210963.tif 000009
【図８】
0003210963.tif 000010